(57)【要約】      （修正有）【課題】車内環境に機能性を持たせるフロアシートを提供する。【解決手段】表面は微粉や粉体等の吸着性を持たせ、洗浄や印刷を可能とした綿布、合成繊維、または起布性不織布のシート５であって、車内床面に合わせたサイズに裁断し、二枚以上を連結してロール状に巻き取り、巻き取り機構並びにロック付専用ケースに収納し、フロアに装着される。また、走行時の振動を微振動として伝えるエンボス加工部分をシート５の表面に設ける。【選択図】図１
2016011100.tif 000002
【特許請求の範囲】
【請求項１】
表面は微粉や粉体等の吸着性を持たせ、洗浄や印刷を可能とした綿布シートや合成繊維シート、又は起毛系不織布シートを二枚以上連結しロール状に巻き取る、巻き取り機構並びにロック付専用ケースに収納されたシートであって、自動車内座席フロアに装備された自動車内フロア用機能性シート。
【請求項２】
シート表面の一部をエンボス加工し、走行中の車の微振動を動力源として足裏に指圧効果若しくはマッサージ効果をもたらす請求項１に記載の自動車内座席フロアに装備された自動車内フロア用機能性シート。
【請求項３】
請求項１若しくは請求項２に記載の自動車内座席フロアシート縦方向座席側には、平面シートに対して縦方向の支柱若しくは壁面を設け、該支柱若しくは壁面には複数の突起部、若しくはスプリング付き突起部、或いは車両振動を動力源として上下動するスプリング付き回転体を設けた請求項１に並びに請求項２に記載の自動車内座席フロアに装備された自動車内フロア用機能性シート。
【請求項４】
底部には面テープによる接着機能を持たせた請求項１並びに請求項２に記載の自動車内座席フロアに装備された自動車内フロア用機能性シート。
【請求項５】
広告掲載或いは広告印刷を可能とした請求項１並びに請求項２に記載の自動車内座席フロアに装備された自動車内フロア用機能性シート。
【請求項６】
振動力補強の為、エンボス加工部下部に別途スプリングを追加装備した請求項２に記載の自動車内座席フロアに装備された自動車内フロア用機能性シート。
【請求項７】
車両のバッテリー電源を動力源とした請求項１並びに請求項２に記載の自動車内座席フロアに装備された自動車内フロア用機能性シート。
【発明の詳細な説明】
【技術分野】
【０００１】本発明は移動する自動車内のフロアに関する美的健康環境装置に関するものである。
【背景技術】
【０００２】戦後米国で急速に普及したモータリーゼーションは当然日本でも急速に普及し、今やわが国では自動車保有は一家に一台から大人一人に一台とまで普及した。しかもその間、日本人は文化的な面でも大きく成長した。人間は成長すると最終的には真善美を求めるようになるという。そのゆとりは自動車の個性化を生み、マイカーの車内も当然、個性が表現されるようになってきた。【０００３】しかし一般的に自動車内のフロアは土足利用が原則の為、汚れることが前提であり、それがため新車であってもその座席のフロアマットなどは座席カラーと同色か、若しくは座席カラーとの違和感の無い同色系が多く、相対的に汚れの目立たない地味な色調クロスとなっておりデザイン性に優れたマイカーの外観や、ぷんぷん臭う新車の香りとは裏腹に、地味な色調でその柄も単色系がほとんどで多くても２色の菱形模様や四角模様の、目立たない単純柄で製品化されているのが現状である。本発明はこの地味な自動車内フロアを健康維持に役立ち明るい希望の空間に変えることによって、疲労回復はもとより車内はいつも健康的で楽しい雰囲気をもたらすことのできる空間に代えようとするものである。【０００４】本発明は以上の様に現代の自動車社会の環境に相応しい補助具となる装備品を提案するものであって、特に自動車の場合、車内のフロアは土足使用が前提である為、車内フロア用マットは上記の様に座席カラーと同色が多い為色彩はもとより全体的に地味であり、汚れが余り目立たない材料や地味な色調仕上げの製品が主流である。また１００円均一専門店舗やホームセンターでなどで扱う自動車用フロアマットも当然土足使用が前提である為、汚れが目立たず且つ洗浄し易い材料仕上げ、或いは靴で汚れたマット表面の泥や水分などを簡単に取り除き易い形状となり、市場では透明のビニール製マットなど、貴重品を意識せずに済む廉価品がほとんどである。【０００５】しかし今や先進国の国民にとって車は無くてはならない必需品である。いや生活用品ともいえる商品であり、トラックなど運送用車両は鉄道などに比較してその利便性から沢山の運送業者が成立し、夜間の幹線国道ではマイカーの走行はもとより、トラック系の運送車両が国道での主役であり、トラック系車両は今や貨物の輸送のみならず、あらゆる産業における貴重な生産財の武器である。又、田舎においてはお百姓さん達が田畑への往復用や生産物出荷用として、或いは林業では伐採された木材の山奥から市場までの搬送の為、漁業では水揚げされた港の魚市場から末端魚屋さんまでの搬送用、或いは若者にとっての車内はデイト広場として、即ち自動車内はあらゆる階層の人々にとっての重要な生活空間である。よって本発明はこの自動車内空間、中でも特に地味で無味なフロア部分を楽しく華やかな健康領域空間に変えると、ともに車の微振動を利用しそのエネルギーを疲労回復用に利用することを提案するものである。【０００６】この自動車内床面を覆うフロアマットに関しては先願を見ても例えば特許出願２０１１−１８７１８敷物の裏張り材、敷物及び自動車用マットや、特許出願２０１０−１４８９５植物由来成分からなる自動車用マットや、実用新案出願平５−１１３７７自動車用マットなどの先願があるがこれらはマットの耐摩耗性や滑り止めや吸音性を目的としたマットの材質に重点を置いた物、或いはスキーヤー等向けに車内水分吸湿を目的とするなど、本発明とはその開発視点が根本的に異なるものである。又特開２００８−１８９２８３埃吸着性機能性シートなどの先願もあるが本先願については実践使用の結果、利便性において今一満足感が得られないことが分かった。【０００７】
【特許文献１】特許出願２０１１−１８７１８敷物の裏張り材、敷物及び自動車用マット  特許出願２０１０−１４８９５植物由来成分からなる自動車用マット  実用新案出願平５−１１３７７自動車用マット  特開２００８−１８９２８３埃吸着性機能性シートなどの先願がある
【発明の開示】
【発明が解決しようとする課題】
【０００８】大人一人に一台所有するという大変な普及率を誇るマイカー、本発明はこの自動車社会の環境に相応しい機能性補助具となる装備品を提案するものであって、特に自動車の場合、車内の床は土足使用が前提である為、これら自動車のフロアマットは例えそれが新車であっても、廃材加工による再生利用品他、色彩はもとより全体的に非常に地味であり、汚れが余り目立たない材料や地味なカラー仕上げの製品が主流である。すなわち土足使用が前提である為、汚れが目立たず且つ洗浄し易い材料仕上げや靴で汚れたマット表面の泥や水分などを簡単に取り除き易い単純な形状となり、且つマット本体も取り外しやすい形状仕上げとなり、貴重品を意識せずに済むようなイメージの廉価品がほとんどである。【０００９】よって本発明では、今や自動車産業と言われるように世界的に一大産業として育った自動車産業、その裾野は膨大な下請け企業群、これらはスタートの米国デトロイトをはじめ、日本でも中部地区は国家を背負うほどの企業群の勢い、そしてそこにはリピータを呼び込むための優れたデザイン性と、毎年変わる型式を発表することによって、消費者に対し車は数年の使用で次の新車に乗り換えるべきとの習慣を植えつけんばかりの広告、或いはいかにスピードが出せるかという高速性能、そして若者は時代の流れについていくというよりも、時代の流れを背負うかの如く次の新型を追う。その上これ等自動車業界は製造のみならず、その販売網に於いても全国くまなく網羅している。かようなきらびやかな世界でありながら自動車そのものの内部の床面は不思議なほど未だに地味な空間である。本発明は自動車の製造やデザインや販売が表産業なら、この自動車の車内床面もまた表産業に相応しい華やかで楽しい機能的な空間に変えようと提案するものである。
【課題を解決するための手段】
【００１０】そこで本発明は上記目的を達成する手段として、まず自動車内床面のフロアシートを本発明のシートをフロアに敷くだけで車内が華やかになり豪華になり、且つフロアシートに機能性を加味することによって、地味な車内床面そのものが豪華な座席フロアとして価値ある空間に代わり、車に乗るのが楽しみだ、或いは友人を載せても喜ばれる、或いは家族で地方旅行しても車に乗るだけで楽しくなる、そういった車内雰囲気をフロアシート一枚で車内環境に変化をもたらす製品を提供するものである。又当該シートの形状やサイズ等については丸形でも台形でも或いは菱形でも、特に形状に限定するものではないが、狭い車内においては広さや行動には当然限界がある為、要は足の置き場をフォローするサイズであり形状であればよいがその具体性は次に下記する。【００１１】そこで本発明は請求項１にある様に自動車購入時から装備された既存のフロアマット上に、面積約５００ｍｍ×６００ｍｍサイズに裁断され、表面には斬新な花柄や富士山などの風景など代表的絵柄を印刷した不織布シートを敷くことによって車内は一気に華やかで明るい雰囲気に変えることができる。また当該不織布シートは汚れれば一枚ごとちぎり、使い捨てを前提とする。よって複数枚、できれば１０枚から２０枚を連結し専用のシートケースに収納し、シートの汚れが目立つようになった場合、或いは大切なお客様の同乗に際しては新シートをロール部から引き出す事により車内フロアはいつも新鮮な環境が保てるようになる。またそのフロアシートに好みの香りなど噴霧加工すればより新鮮さが増す。【００１２】又請求項２にある様に車が走行する場合、道路は必ずしも平たんでは無い為必ず振動する。その為自動車にはショックアブソバーやタイヤ等、振動を吸収する装置は自動車の必需部品であるがそれでも発生する微振動を利用したのが請求項２であり、当該フロアシート上の足を置く場所付近の約３００ｍｍ×３００ｍｍの面積分にエンボス加工部分を設け、その上に裸足を預けることによって、車の微振動が足裏に伝わりマッサージや指圧効果を生みだす結果疲労回復効果をもたらすものである。【００１３】又請求項３は、車の座席に座った際、足のふくらはぎ部分に相当する位置に車の振動を動力源とするマッサージ機能を持つ回転体を設けることで該回転体が上下振動若しくはその他の振動を繰り返すことで車の座席に座す人の、足のふくらはぎ部の疲労回復若しくはマッサージ効果をもたらすものである。【００１４】又請求項４については当該発明品を車のフロア部分に装着する方法例であって、装着方法は車内フロア部分に直接、ビス止めでも良いが接着力の確りした面テープでも十分固定は可能であり装着は簡易に可能である。
【発明の効果】
【００１５】試みに地元県下を代表するような中堅の印刷屋に相談し、印刷屋在庫原稿の大輪のバラの花びらを約５００×６００角に拡大したカラー印刷仕上げに刷ってもらい、早速マイカーに敷いてもらった処、車内が大変華やかで且つ大胆豪華な雰囲気となり、早速土足を脱ぎシートに素足を任せると、車の微振動を動力源とするマッサージ効果や指圧効果で狭い車内が楽しい空間に変化した。特に高級車の場合正に外観に相応しい車内雰囲気になった。何よりも女性に大変喜ばれたことが今後の市場展開に大きな希望がもてた。この場合女性に限っては主婦層も若い娘さん達もいずれもその感触にほとんど差はなく大変好評であった。このように女性に好まれるということは今後の市場に大きな希望を抱かせる前兆である。特に本発明フロアシートは自動車内における助手席や客席用を主目的としたものであるが、今後の電気自動車や運転の全自動化時代になれば運転席フロアにも当然必要性が生じるであろう。
【実施例１】
【００１６】本発明を図１で説明すると、車内床面に合わせて５００ｍｍ×６００ｍｍのサイズに不織布を裁断し、シート中心部を低温に熱した家庭用のたこ焼き器に圧着し、凸凹形状を形成したシートを早速マイカーの床に敷き家族を乗せて車内で靴を脱ぎ試乗した処、足元感覚がすこぶる快適なであるとの回答を戴いた。又その足で直ちに印刷屋に駆け込み、印刷屋様手持ちの在庫原版である真っ赤に咲いた大輪のバラの花を、大写しに貼り付け早速事務の女性社員さんに試乗してもらった処、車内がとっても華やかになり素足に感じる指圧効果やふくらはぎの疲労回復効果も実感できると好評を頂いた。
【産業上の利用可能性】
【００１７】今や我が国における自動車産業は各メーカーの販売店或いは中古車販売店或いは大手フランチャイズの自動車販売網やサービス網等々、国道を走れば数百メートルに一ヶ所の車両関係業者が存在するほど自動車に関する販売網、或いはサービス網、或いは修理網など大変な産業である。これらの店舗で本発明品の取り扱いを始めれば当然これらのサービス網は顧客車両の点検の度、或いは車検の度、或いは納車の度、顧客の好みを事前に察知しその都度、綺麗に洗車した納車に相応しく、且つユーザーの好みに合わせた車内床用シートをサービスで提供するだけで、顧客層に好感を与える事が出来るし、その後は、当然好みの柄等種々な要望がある可能性もある。特に本発明品が機能面における実感に加えてシートが消耗品である為、一枚当たりの単価は安くてもその裾野を見るとき、大きな市場展開が予想されるのは必定である。今後自動車産業界にとってはエンジン方式に代る水素燃料型や電気自動車など根本的な大変革が予想されているが、自動車業界の型式や方式が如何に代ろうと、本製品は変わりなくささやかながら顧客に楽しさと夢を与えるものである。近い将来実現可能な車両運転の自動化が進めば運転席のゆとり感覚や美的シート・機能性シートの必要性は必然である。
【図面の簡単な説明】
【００１８】
【図１】図１は車内ダッシュボード側面図と助手席に座った状態の側面概要図である。
【図２】図２はエンボス加工シートの側面図と上面図である。
【図３】図３はロール式シートを巻き取り収納ケースに収納する状態の上面図である
【図４】図４は切断線入りロール式シートと収納ケースの全体概要上面図である。
【図５】図５はエンボス加工シートロールの連結した状態の上面図である。
【図６】図６は請求項３にあるふくらはぎ用背もたれのマッサージ機構側面図である
【図７】図７は請求項３にあるふくらはぎ用背もたれのマッサージ機構上面図である
【符号の説明】
【００１９】  １、  車の利用者
２    車内座席背もたれ
３    運転席ダッシュボード断面
４、  シートの山形エンボス部
５、  シート
６、  シートロール
７、  シートケース（ケースを別途に設けた場合）
８、  切り取り線
９、  シートロック機構
１０、  マッサージ用ローラ
１１、  足のふくらはぎ用背もたれ
１２、  背もたれ回転軸
１３、  スプリング
１４、  固定フック
【図１】
2016011100.tif 000003
【図２】
2016011100.tif 000004
【図３】
2016011100.tif 000005
【図４】
2016011100.tif 000006
【図５】
2016011100.tif 000007
【図６】
2016011100.tif 000008
【図７】
2016011100.tif 000009